(57)【要約】【課題】基材にエンボス加工及び金属箔の貼付をする必要がなく、基材に与えるエンボスの影響を皆無にすることが可能となり、１種類のインキを使用するだけで二つ以上の画像を形成することが可能な情報担持体を実現する。【解決手段】第１の画像１１と第２の画像１２は、それぞれ背景２、４を形成する万線状で盛り上がりのある複数の背景画線７、９とメッセージ３、５を形成する万線状で盛り上がりのある複数のメッセージ画線８、１０とを有し、背景画線に対してメッセージ画線は、平面内で異なる角度で形成されており、基材上に、第１の画像１１と第２の画像１２のそれぞれが短冊状に分割されて形成される第１の画像１１の短冊パターン１３と第２の画像１２の短冊パターン１４を規則的に配列して情報担持体を形成する。【選択図】図６
2005280114.tif 000002
【特許請求の範囲】
【請求項１】
基材上に、複数の画像のそれぞれが分割されたそれぞれのパターンが、規則的に配置され成る情報担持体であって、
前記複数の画像のそれぞれは、背景を形成する万線状で盛り上がりのある複数の背景画線と、メッセージを形成する万線状で盛り上がりのある複数のメッセージ画線とを有し、該背景画線に対して該メッセージ画線は、平面内で異なる角度で形成されていることを特徴とする情報担持体。
【請求項２】
前記複数の背景画線と前記複数のメッセージ画線が印刷により形成されていることを特徴とする請求項１記載の情報担持体。
【請求項３】
前記背景画線及び／又はメッセージ画線は、表面光沢を有する材料で形成されていることを特徴とする請求項１又は２記載の情報担持体。
【請求項４】
前記背景画線及び／又はメッセージ画線は、機能性材料を含むインキで形成されていることを特徴とする請求項１又は２記載の情報担持体。
【請求項５】
前記複数の画像のうちの少なくとも一つの画像は、背景画線及び／又はメッセージ画線の一部が異なる画線幅、画線の密度、画線の種類のいずれか一つ又はこれらの組合せから成る可視情報を有することを特徴とする請求項１、２、３又は４記載の情報担持体。
【発明の詳細な説明】
【技術分野】
【０００１】
本発明は、銀行券、郵券、旅券、株券、有価証券、通行回数券、クレジットカード等の偽造、変造を防止する必要のある印刷物に適用される偽造防止策が施された情報担持体に関するものである。
【背景技術】
【０００２】
従来ではコピー機やスキャナーを使用した偽造を防止するためにホログラムや光学的変化インキを使用したものがある。しかしこれらは非常に高価であるため大量に製造するにはコストがかかる問題があった。
【０００３】
これを解決するための技術として、従来、シート上に線部と非線部の万線比率が１：１の同一万線ピッチによる万線を異なる万線角度にて配置した複数の万線パターンが形成され、この万線パターンのうち複数の万線パターン領域内にその万線パターンに対して万線位相を半ピッチ分だけずらして形成した、潜像万線パターンを備えた印刷物であって、通常の使用状態では何ら画像を認識することができないが、画像検出用フィルムを使用することで、角度ごとに配列された複数の画像を顕在化可能とする印刷物がある（例えば、特許文献１参照。）。
【０００４】
また、金属光沢を有するシート状金属基体の表面に、微細な万線状凹凸パターン群をその万線方向を変化させて複数組配列させて形成された画像形成体であって、異なった角度からシート状金属基体を見ることにより、それぞれ異なった文字の表示情報が現出させる画像形成体がある（例えば、特許文献２参照。）。
【０００５】
さらに、基材上の金属層に、ピッチ幅が３０〜１３０μｍの万線状波形凹凸パターン群が複数組集合してなり、その万線方向を変えて多方向に変化するオパール像のエンボスパターンと、ピッチ幅が１３０〜５００μｍの潜像部と非潜像部とでなる万線状波形凹凸パターン群が、それぞれの万線方向が同方向で、その位相を１／２ピッチずらしてある万線モアレ像のエンボスパターンとが刻設されており、オパール像は、横万線状で略１対１の面積に均等分割されて画像部と非画像部を形成し、このオパール像の非画像部に万線モアレ像の画像部が整合して組み合わされている画像形成体であって、潜像画像の万線パターンと同じピッチを有する万線フィルムを重ね合わせることにより、もう一つの画像を浮き上がらせる画像形成体がある（例えば特許文献３参照。）。
【０００６】
さらに、金属光沢を持つインキを使用して拡散光領域又は反射光領域によって画像を変化させるものがある（例えば特許文献４参照。）。
【０００７】
また、複数の凹凸構造をもつ鏡面光沢のあるインキを使用して潜像画像を付与する真偽判別可能な印刷物及びその作製方法がある（例えば特許文献５参照。）。
【特許文献１】特開２００１−２１３０４２号（第７頁、図１）
【特許文献２】実公平５−８１６０号（第３頁、図２）
【特許文献３】特開２００３−７２２１９号（第７頁、図７）
【特許文献４】特許３３９８７５８号（第１２頁、図６）
【特許文献５】特願２００１−２３７９０４
【発明の開示】
【発明が解決しようとする課題】
【０００８】
しかし、特許文献１に記載の印刷物は、通常の使用状態においては画像が認識されず検出用シートを使用しない限り画像を認識することは不可能であり、検出用シートを用意しなくてはならないという煩わしさがある。
【０００９】
また、特許文献２記載の画像形成体及び特許文献３記載の画像形成体は、基材に金属層を貼付するときと同時に特許文献１同様の画線構成にて凹凸構造をつけるものであり、金属層を貼付することが構成上欠かせないものとなっている。
【００１０】
また、特許文献３によると２種類以上の画像を万線の配列によって入れ、さらにもう１種類を画線のピッチをずらすことにより、潜像画像として入れ、同ピッチ万線を描かれた検出シートをあわせることで万線モアレ画像として検出する。この方法では２種類の画像とさらにもう１種類の画像を抽出する際に検出用シートが必要となる。
【００１１】
また、本件出願人が出願した特許文献４記載の偽造防止用情報担持体は、光輝性材料を使用した印刷面積の疎密によって反射光と拡散光による明度差を利用して画像を変化させるものがある。この偽造防止用情報担持体は１種類の光輝性材料でも実施可能ではあるが、明確な効果を得るためには２種類のインキを使用することが好ましいことが判明している。また、複数の凹凸画線を使用していないためスキャナー等により画線の分析が可能である。
【００１２】
さらに、同じく本件出願人が出願した特許文献５記載の真偽判別可能な印刷物及びその作製方法は、認識される潜像画像が一つであり、具体的に複数の潜像画像を認識させる構成が記されていない。
【００１３】
本発明は、このような従来の問題を解決することを目的としたもので、基材にエンボス加工及び金属箔の貼付をする必要がなく、基材に与えるエンボスの影響を皆無にすることが可能となり、１種類のインキを使用するだけで二つ以上の画像を形成することが可能な情報担持体を実現することを課題とする。
【課題を解決するための手段】
【００１４】
本発明は上記課題を解決するために、基材上に、複数の画像のそれぞれが分割されたそれぞれのパターンが、規則的に配置され成る情報担持体であって、前記複数の画像のそれぞれは、背景を形成する万線状で盛り上がりのある複数の背景画線と、メッセージを形成する万線状で盛り上がりのある複数のメッセージ画線とを有し、該背景画線に対して該メッセージ画線は、平面内で異なる角度で形成されていることを特徴とする情報担持体を提供する。
【００１５】
本発明は、前記複数の背景画線と前記複数のメッセージ画線が印刷により形成されていることを特徴とする情報担持体である。
【００１６】
本発明は、分割されて形成されるパターンが、短冊状パターン、多角形パターン、矩形パターン、格子状パターン、同心円パターン、同心多角形パターン、渦巻状パターン、ジグザグパターン、波状パターン、点状パターン、その他の幾何学パターンのいずれか一つ又はこれらのパターンの組合せからなることを特徴とする情報担持体である。
【００１７】
本発明は、背景画線及び／又はメッセージ画線が、実線、点線、鎖線、波線、微小文字、分岐線、分断線で構成される画線の種類のいずれか一つ又はこれらの画線の組合せからなることを特徴とする情報担持体である。
【００１８】
本発明は、背景画線及び／又はメッセージ画線は、表面光沢を有する材料で形成されていることを特徴とする情報担持体である。
【００１９】
本発明は、背景画線及び／又はメッセージ画線は、機能性材料を含むインキで形成されていることを特徴とする情報担持体である。
【００２０】
本発明は、複数の画像のうちの少なくとも一つの画像は、背景画線及び／又はメッセージ画線の一部が異なる画線幅、画線の密度、画線の種類のいずれか一つ又はこれらの組合せから成る可視情報を有することを特徴とする情報担持体である。
【発明の効果】
【００２１】
本発明によれば、複数の画線を使用して第１の画像、第２の画像など複数の画像を形成し、形成された画像をそれぞれ分割してパターンを形成し、分割したパターンを規則的に配列することで、一つの情報担持体において二つ以上の画像を認識させることが可能となる。また、情報担持体を照明光源に対して、任意の観察角度で観察する場合の照明光源からの拡散光と反射光の光量差を利用して複数の画像を認識させるため、コピー機又はスキャナー等を利用した偽造及び改ざんは不可能である。
【００２２】
従来では、エンボス加工によって凹凸構造を基材上に付与し、金属箔によって表面光沢を得ていたため基材によっては圧力によって基材そのものが変形することもあったが、本発明によれば基材に盛り上がりを付与することができる印刷及び加工（スクリーン印刷、凹版印刷、パッド印刷及び発泡インキを利用したオフセット印刷）によって基材表面に定着後、有色又は無色（クリア）を問わずインキに艶（グロス）があることで、観察者が任意の角度において情報担持体を観察したとき、照明光源からの拡散光と反射光の光量差を利用して背景とメッセージを認識させることができる。
【００２３】
また、複数の画線を使用して第１の画像、第２の画像など複数の画像を形成し、形成された画像をそれぞれ分割してパターンを形成し、分割したパターンを規則的に配列した複数の画像のうち、少なくとも一つの画像を構成する背景画線及び／又はメッセージ画線の一部を異なる画線幅、異なる画線の密度、異なる画線の種類のいずれか一つ又はこれらの組合せにより可視情報を形成することで、情報担持体を真上から観察したときは画線幅、画線の密度、又は画線の種類を異にしたことで濃度差による新たな可視情報が視認されることになり、情報担持体を傾けることで複数の画像が出現することが可能となる。
【発明を実施するための最良の形態】
【００２４】
本発明に係る情報担持体を実施するための最良の形態について図面を参照して説明する。
【００２５】
図１は、本発明に係る情報担持体の基本構成を示す図である。この基本構成は、基材１の上に、後述する第１の画像と第２の画像が各々分割されて短冊パターンとされ、それぞれの短冊パターンが交互に配列されて構成されて成るものである。第１の画像と第２の画像がどのようにして組み合わされて本発明に係る情報担持体が構成されているか、その概念を図６により分かり易く説明する。
【００２６】
図６は、第１の画像１１及び第２の画像１２を構成する複数の画線を示す図である。図６（ａ）は、第１の画像１１（「ＮＰＢ」の画像）を示す図であり、背景２を形成する万線状の背景画線７の基材平面における左右に延びる基準線Ｂ−Ｂ’に対する配列角度が７０度であり、メッセージ３を形成するメッセージ画線８の配列角度は３０度である。
【００２７】
図６（ｂ）は、図６（ａ）に示す第１の画像１１を短冊状に分割して形成された短冊パターン１３を示す図である。概念的には、第１の画像１１に横方向に延びる一定幅（例．１mm）のスペース１５（空白部分）を上下方向に一定幅（例．１mm）の間隔で入れて、第１の画像１１を一定幅（例．１mm）の短冊パターン１３に分割したものである。
【００２８】
図６（ｃ）は第２の画像１２（「１００」の画像）を示す図であり、背景４を形成する万線状の背景画線９の基材平面における左右に延びる基準線Ｃ−Ｃ’に対する配列角度は１１０度であり、メッセージ５を形成するメッセージ画線１０の配列角度は１５０度である。
【００２９】
図６（ｄ）は、図６（ｃ）に示す第２の画像１２を短冊状に分割して形成された短冊パターン１４を示す図である。概念的には、第２の画像１２に横方向に延びる一定幅（例．１mm）のスペース１５（空白部分）を上下方向に一定幅（例．１mm）のピッチ間隔で入れて、第２の画像１２を一定幅（例．１mm）の短冊パターン１４に分割したものを示す図である。
【００３０】
図６（ｅ）は、それぞれ短冊状に分割された第１の画像１１の短冊パターン１３（図６（ｂ）参照）と、第２の画像１２の短冊パターン１４（図６（ｄ）参照）を交互に配列して合成して成る本発明に係る情報担持体の基本構成を示すものである。概念的には、図６（ｅ）は、図６（ｂ）に示す第１の画像１１による短冊パターン１３のスペース１５に、図６（ｄ）に示す第１の画像１１の短冊パターン１４を組み込んで成るもので、これが前述の図１に示す情報担持体の基本構成をなすものとなる。
【００３１】
上述のように、短冊パターン１３及び短冊パターン１４は、それぞれ交互に配列して合成することが最も好ましいが、交互に配列することに限定されるものではなく、それぞれの短冊パターンは、ある一定の規則に従って規則的に配列されればよい。それぞれの短冊パターンを不規則的（ランダム）に配列した場合、観察者が情報担持体に対して観察角度を任意に変えて観察するときは、第１の画像１１及び第２の画像１２のいずれも任意の観察角度において認識し難くなるが、それぞれの短冊パターンを規則的に配列した場合は、情報担持体を観察者が真上から観察すると、画像１１及び画像１２を認識することが難しく、観察角度を任意に変えて観察すると、第１の画像１１及び第２の画像１２がそれぞれの角度においてはっきりと認識できるようになる。
【００３２】
なお、背景画線７、９とメッセージ画線８、１０の配列角度は２０度から６０度の範囲において角度差を生じさせることで観察角度によって第１の画像１１及び第２の画像１２がの両方の視認性が向上する。この角度差の範囲以外でも実施可能であるが、画像をより明瞭に認識させるには、３０度から５０度の範囲が好ましい。
【００３３】
図２は、図１におけるＡ−Ａ’断面図を示す図である。図２に示すように  画像を構成する背景画線７、９とメッセージ画線８、１０は、基材上１に盛り上がりのある画線１６で構成されている。基材１上に設けられる盛り上がりのある各画線１６の高さ（基材１の表面からの高さ）は５μｍから３００μｍの範囲が好ましく、１５μｍから１００μｍの間であればより好ましい。
【００３４】
また、各画線に使用される材料は、表面光沢性があれば色相、明度及び彩度は特に限定されるものではなく、画線自体に盛り上がりがあれば透明、半透明のインキでも良い。なお、表面光沢性はＵＶ硬化型スクリーンインキを使用した場合、グロス系のインキであれば本発明における効果を得ることが可能である。好ましくはクリアグロスインキを使用すれば画線構成を認識することが困難となり、より偽造防止効果を得ることが可能となる。
【００３５】
さらに、本発明における機能性材料としては、特に限定するものではないが、各画線に使用される材料の内部にパール顔料、金属顔料、磁性保持顔料、示温、蓄光、ガラスフレーク、コレステリック液晶、紫外線発光、赤外線反射及び赤外線吸収等の機能性材料を単独で、あるいは複数併用することで、一般にはそれとは分からないが、簡便な器具や方法により真偽判別することができ、更なる偽造防止効果の向上を図ることができる。また、各画線は、上記機能性材料を含むインキで形成されてもよい。
【００３６】
図３（ａ）は、本発明による情報担持体の平面内での観察角度（情報担持体をＸＹ平面としたとき、そのＸＹ平面に対する観察角度）を変化させることによって画像が変化することを示す概念図である。
Ｄ方向からの照明光源Ｌに対して、観察者がＥの方向から情報担持体を観察するとき、観察者が角度αで情報担持体を観察する場合と、角度βで観察する場合で、図５の（ａ）〜（ｄ）のいずれか一つの画像から図５の（ａ）〜（ｄ）のいずれか一つの画像にそれぞれ変化して見える。例えば、図３で示す角度αで観察される図５の（ａ）の第１の画像１１（ＮＰＢ）のネガ画像は、図３で示す角度βで観察すると、図５の（ｂ）の第１の画像１１（ＮＰＢ）のポジ画像に反転する。また、他の異なる観察角度では、図５の（ｃ）及び（ｄ）がネガポジ反転して観察される。
【００３７】
また、観察角度はどの方向からでもよく、図３（ｂ）に示すように情報担持体1のＸＹ平面のＹ軸を回転軸として観察角度を変化させた場合、また、情報担持体のＸＹ平面のＸ軸を回転軸として観察角度を変化させた場合で、図５の（ａ）（ｂ）（ｃ）（ｄ）に示すような画像にそれぞれ変化して観察される。このように観察角度によって画像が変化して観察されるのは、各画像を構成するメッセージ画線及び／又は背景画線の配列方向、画線幅又はピッチ幅が異なっているため各画像を形成する各メッセージ画線及び／又は背景画線の反射光量に差が生じるためである。
【００３８】
前述したネガポジ反転しながら観察される原理を図４を使用して説明する。図４において、a及びｂを、第１の画像における背景画線７の一部とし、ｃを第１の画像におけるメッセージ画線８の一部とするとき、表面光沢性を使用した盛り上がりのある画線を有する情報担持体に、例えばＤの方向から照明光源Ｌの光を照射すると、aの部分の光の反射量に対しｂ、ｃの部分の光の反射量が少ないため、明度差が生じることによりaの部分が顕在化し、光の照射角度を変化させるとｃの部分からの光の反射量がaの部分の光の反射量を上回りｃの部分が顕在化する。このように、表面光沢性のあるインキを使用して盛り上がりのある画線を作成し、その画線の角度を変化させることで視認できるタイミングを変化させることができるようになる。
【００３９】
さらに、印刷物を傾けなくとも、光の入射光の角度を連続的に変化させることによって本発明の効果を奏することができる。また、本発明の印刷物は、複写機、画像入力装置等の複写防止効果を有する。これは、光沢インキで印刷されていること、及び、万線画線の配列方向と複写機等の走査線との関係によって複写防止効果が生じるからである。
【００４０】
図６は、すでに説明したとおり、第１の画像１１と第２の画像１２を各々短冊状に分割後、それぞれの短冊パターン１３、１４を交互に配列して成る本発明に係る情報担持体の基本構成を示しているが、さらに具体的に設計例を説明する。
【００４１】
図６（ｂ）、（ｄ）に示す、第１の画像１１、第２の画像１２の短冊パターン１３、１４の幅は、紙幣、旅券、切手、収入印紙、商品券などに使用されるＢ４〜Ａ６サイズの情報担持体には０．１mmから１０mmの範囲であることが好ましく、より好ましいのは０．５mmから２mmの範囲である。この範囲以外のものでも本発明を実施することは可能であるが、０．１mm以下であると各画線の再現性に影響を与え、２mm以上になると第１の画像１１及び第２の画像１２が明確に認識されず短冊パターン１３、１４ごとの面積が増加するため各画像の再現性が不明瞭になる。
【００４２】
なお、ポスターなどのＢ０〜Ａ３サイズの比較的大きな情報担持体の場合は、この範囲でなくとも実施可能である。すなわち情報担持体の大きさが大きくなるに従い、短冊パターンの幅が大きくなったとしても第1の画像、第2の画像が視認できる短冊パターンであれば実施可能である。例えばＡ３のポスターに本発明を使用する場合、短冊パターンの幅は、０．１mmから５０mmの範囲でもよく、それ以上の範囲でもよい。
【００４３】
ところで、図６（ｂ）、（ｄ）に示すものでは、短冊パターン１３、１４の幅（スペース１５の幅でもある。）は一定幅で構成されているが、これらは、図６（ｂ）、（ｄ）に示す第１及び第２の画像１２の短冊パターン１３、１４が互いに合成できれば（互いに組み合わすことができれば）、不連続な幅で構成されていても実施上問題はない。
【００４４】
また、上記事例では短冊パターンは、横方向の短冊パターン、縦方向の短冊パターン、斜め方向の短冊パターンでも実施可能である。また。本発明においては、これに限定されず、上記のような短冊状パターンの他に、図７に示すように分割されたパターンが、（ａ）のような短冊パターン、（ｂ）のような同心円パターン、（ｃ）のような同心多角形パターン（この場合四角形）、（ｄ）のような格子状パターン、（e）のようなジグザクパターン、（ｆ）のような波状パターン、（ｇ）のような幾何学パターン、点状パターンでもよく、複数の画像をほぼ一定面積に分割することで短冊パターンと同様の結果が得られる。また、上記パターンをそれぞれ単独で使用することも可能であるが、それらを組み合わせて使用することも可能である。
【００４５】
また、背景画線７、９及びメッセージ画線８、１０の幅は５０μｍから１０００μｍの範囲であるのが好ましく、背景画線７、９及びメッセージ画線８、１０のピッチ間隔は、１００μｍから２０００μｍの範囲であるのが好ましい。なお、画線幅及び画線のピッチ間隔については、好ましくは、同一のものが連続して配列されているものが良いが、画線幅及びピッチ間隔が不連続であったとしても実施可能である。また、短冊パターンの幅と同様に画線幅及びピッチ間隔についても、情報担持体が大きい場合はこの限りではなく実施可能である。例えばＡ３サイズの情報担当持体の場合、画線幅が１００mm以上でもピッチ間隔が２００mm以上でも実施可能である。
【００４６】
図８は各画線に使用される画線の種類を示した図である。図８（ａ）は実線であり、図８（ｂ）、（ｃ）は点線であり、図８（ｄ）は点線であるが線の間隔が不連続である。図８（ｅ）は波線であるが、波の大きさや振幅数は小さいものが好ましい。この図８（ｅ）では正弦波を模しているが矩形波等も利用することも可能である。その他、鎖線でもよく、更に、図８（i）に示すように実線、点線、波線等を微小文字によって形成した画線を用いてもよい。また、上記の画線の組合せでも実施可能である。しかし、好ましくは図８（ａ）に示すような直線がよい。
【００４７】
図８（ｆ）、（ｇ）、（ｈ）は、１本の線から分岐されたものであり、図８（ｆ）は分岐された線が１本の線に接することなく分離している状態であり、図８（ｇ）、（ｈ）と比べて分岐された線が１本の線に接している。図８（ｈ）は分岐された線が２本ではなく３本となっている。また、分岐線に図８（ｂ）、（ｃ）、（ｄ）のような点線を応用することも可能である。
【００４８】
画線に前述のような分岐線を部分的に利用することで、更なる偽造防止効果をもたせることができる。具体的には、これらの分岐線は、目視で観察すると、分岐線であるにもかかわらず、観察者にはあたかも１本線であるかのように認識される。従って、観察者は分岐線の存在をまったく視認することはできないが、情報担持体を複写機で複写したときに、分岐線を施した画線と分岐線を施さない１本線の画線との濃淡差が生じることにより、複写機を用いた複写物であることが一目瞭然になり、真偽判別が可能となる。各画線には、これらすべてを応用することが可能であるが、好ましくは図８（ａ）に示すような実線がよい。
【００４９】
図９は各画線に使用される画線幅を変化させることにより、マークその他の可視情報６である可視情報６を付与したときの構成を示す図である。図９（ａ）は、図１に示す基本構成と同じであるが、各画線を１５０μｍの画線幅で構成したものである。図９（ｂ）は、図９（ａ）の構成において可視情報を盛り込む部分を削除した様子を示す。図９（ｃ）は、１００μｍの画線幅として付与した可視情報６である。
【００５０】
図９（ｂ）において、可視情報６に相当する領域を空白で示す。図９（ａ）に示すものにおいて、図９（ｂ）の空白で示す可視情報６に相当する領域の部分に、図９（ｃ）の１００μｍの画線幅を採用して成るものが図９（ｄ）で示されるものである。
【００５１】
要するに、図９（ｄ）は、１５０μｍ（図８（ａ）参照）の画線幅を背景とし、１００μｍ（図９（ｃ）参照）の画線幅を可視情報６とした構成を示す図である。図９（ｄ）に示すように画線幅を変化させることで、画線の太い細いにより濃度差が生じ、可視情報６を付与することが可能となる。
【００５２】
このときの画線幅に使用される差は１０μｍから１００μｍの範囲であることが好ましい。なお、３０μｍから６０μｍの範囲においては画線の再現性にも優れ、画線幅の変化による可視情報も認識しやすいためより好ましい。また、図９においては可視情報６が淡い状態で再現されているが、図９（ａ）、（ｂ）で示す基本構成の画線幅を太くすることにより可視情報を濃くすることができることはいうまでもない。なお、情報担持体の面積が大きくなればこの範囲以外でも実施可能である。
【００５３】
上記においては、画線幅の違いによる濃度差により可視情報６を付与すると記載したが、これに限定されるものではなく、画線の密度を変えることによる濃度差により可視情報を付与することも可能である。
例えば、情報担持体の複数の画像を構成する各画線の画線幅を一定とし、図９（ｃ）の可視情報６を構成する画線の密度を、可視情報６以外の情報担持体を構成する画線と比べて密にすれば、可視情報は濃い状態で認識される。一方で、図９（ｃ）の可視情報６を構成する画線の密度を、可視情報６以外の情報担持体を構成する全ての画線と比べて疎にすれば、可視情報は淡い状態で認識される。
更に、可視情報６を図８示す画線の種類で構成することも可能である。例えば、画線幅及び画線の密度を一定とし、情報担持体の複数の画像を構成する各画線を直線によって構成し、一方、可視情報６を図８（ｂ）の点線で構成すれば、点線で構成されている可視情報６は、情報担持体を構成する直線と比べて単位面積当たりの画線面積率が低いことから、淡い状態で観察できる。
【００５４】
なお、前述した可視情報を情報担持体に付与する場合、画線に使用される材料には目視できる程度の色彩、濃度があり、かつ表面光沢があるものがよい。
【００５５】
図１０は、図９（ｄ）に示す情報担持体を観察したときの様子を示す図である。図１０（ａ）は、情報担持体を真上から観察したときに光の反射がなく、画線幅の差で構成された濃度差による可視情報のみが認識されていることを示している。情報担持体を真上から観察した限りにおいては、光の反射の影響を受けにくいため、背景画線とメッセージ画線で構成された画像は認識することが難しく、可視情報のみが認識できる。図１０（ｂ）〜（ｅ）は、観察者が情報担持体に対して観察角度を変えたときに観察されるそれぞれの画像を示す図である。観察角度を変えて情報担持体を観察すると、図５の場合と同様に、観察者の目に到達する反射光量の違いにより明暗差がはっきりするため、第１の画像１１及び第２の画像１２がネガポジ反転しながら観察される。
このとき、真上から観察したときに認識される図１０（ａ）の可視情報は、観察角度を変えることで画線の濃度差が認識できなくなるため、視認できなくなる。すなわち、図１０（ａ）の画像と（ｂ）〜（ｅ）の画像はそれぞれ同時に観察されるものではなく、別々に観察されるものである。
【００５６】
本発明に使用される基材は、紙であればどのような紙でも使用可能である。例えば上質紙、アート紙、コート紙、微塗工紙、再生紙などが使用できるが、平滑性の良い紙を使用することが好ましい。また、紙以外でも石油から作られる基材、例えば塩化ビニール、ペット樹脂、ポリエチレン、ポリスチレン、ポリプロピレン等でもインキが定着するものであれば使用可能である。さらに、基材表面に他の図柄や印刷が施されている場合においても下地に影響されることなく本発明は実施可能である。
【実施例１】
【００５７】
図１〜６に示す情報担持体に対応する実施例１として、厚さ１９０μｍの白色微塗工紙からなる基材上に、ＵＶ硬化型クリアグロススクリーンインキを使用して、第１の画像１１及び第２の画像１２を構成する各メッセージ画線及び各背景画線を、各画線幅１５０μｍ、各画線ピッチ３００μｍにて形成し、各画像を構成する第１の画像１１のメッセージ画線８〔図６（a）〕の配列角度を３０度、背景画線7〔図６（a）〕の配列角度を７０度、第２の画像１２のメッセージ画線１０〔図６（c）〕の配列角度を１５０度、背景画線9〔図６（c）〕の配列角度を１１０度とし、各画像を０．５mmの幅の短冊状パターンに分割し、分割後の短冊パターンをそれぞれ交互に配列して情報担持体を得た。
【実施例２】
【００５８】
図９、１０に示す情報担持体に対応する実施例２として、厚さ１９０μｍの白色微塗工紙からなる基材上に、ＵＶ硬化型クリアグロススクリーンインキ内部に表面処理（顔料の表面配向性を向上）を行ったパール顔料を使用して、第１の画像１１及び第２の画像１２を構成する各メッセージ画線及び各背景画線を、各画線幅１５０μｍ、各画線ピッチ３００μｍにて形成し、各画像を構成する第１の画像１１のメッセージ画線8〔図６（a）〕の配列角度を３０度、画像１１の背景画線7〔図６（a）〕の配列角度を７０度で形成し、第２の画像１２のメッセージ画線10〔図６（c）〕の配列角度を１５０度、第２の画像１２の背景画線9〔図６（c）〕の配列角度を１１０度とし、各画像を０．５mmの幅の短冊状パターンに分割し、分割後の短冊パターンをそれぞれ交互に配列することで図９(a)を構成し、さらに、画像１１及び画像１２が画線幅１５０μｍで構成されているところに、可視情報６を付与する箇所（この実施例の場合、鳳凰の図柄）を画線幅１００μｍで構成することで、画線幅の濃度差によって可視情報６（この実施例の場合、鳳凰の図柄）を付与した図９（ｄ）に示す構成の情報担持体を得た。
【００５９】
実施例１では、真上から観察すると、光の反射の影響を受けにくいため、背景画線とメッセージ画線で構成された各画像は認識することが難しく、全体的に一様なベタに近い領域として観察されるため、何ら画像が認識されないが、情報担持体をある角度で観察することによって、第１の画像１１（ＮＰＢ）及び第２の画像１２（１００）がネガ画像として観察され、また別のある観察角度から観察すると第１の画像１１（ＮＰＢ）及び第２の画像１２（１００）がポジ画像として観察される。また、それぞれの画像は、観察角度によっては光の反射及び拡散によって明度差が生じるから、前記それぞれのネガ画像は観察角度を変えることでポジ画像としても観察でき、前記それぞれのポジ画像は同様に観察角度を変えることによってネガ画像としても観察できる。
一方、実施例２では、各画線に有色顔料を使用することで画線幅の差による濃度差を明瞭にし、実施例１の効果に加えて、真上から観察した際に観察することのできる図９（ｄ）に示すような可視情報６を付与することが可能である。
【００６０】
また、本発明による情報担持体は、一般的でかつ比較的安価な材料及び簡単な印刷方式を使用していながら、特定の観察角度において、人の目に認識される任意情報が、観察角度を変化させることによって、全く別の任意情報に変化させることが可能となる。
【００６１】
以上、本発明に係る情報担持体を実施するための最良の形態を実施例に基づいて説明したが、本発明は、特にこのような実施例に限定されることなく、特許請求の範囲記載の技術的事項の範囲内でいろいろな実施例があることはいうまでもない。
【産業上の利用可能性】
【００６２】
本発明は以上の構成であるから、銀行券、郵券、旅券、株券、有価証券、通行回数券、カード、各種証明書等の偽造や変造を防止する必要のある情報担持体はもちろんのこと、ブランドプロテクションと呼ばれるブランドの真贋判別のほか、品質を保証するためのタグに活用することや、クリスマスカードや贈答用メッセージカード等のグリーティングカードと呼ばれる装飾性を向上させたい一般的な印刷物に活用することも可能である。
【図面の簡単な説明】
【００６３】
【図１】本発明の情報担持体を真上から示す図である。
【図２】図１におけるＡ−Ａ’断面図を示す図である。
【図３】情報担持体の観察条件の一例を示す図である。
【図４】盛り上がりのある画線を使用した情報担持体の拡大図を示す図である。
【図５】図１における情報担持体の観察角度を変化させたときに第１の画像及び第２の画像がそれぞれネガポジ反転して認識されることを示す図である。
【図６】第１の画像及び第２の画像における画線配置及び短冊パターンを示す図である。
【図７】分割された各パターンの一例を示す図である。
【図８】情報担持体に使用される画線の一例を示す図である。
【図９】図１の情報担持体において背景画線及びメッセージ画線の画線幅の一部に差を設け、更なる可視情報を付与したものを示す図である。
【図１０】図９（ｄ）における情報担持体の観察角度を変化することによって画像が変化する様子を示したものである。
【符号の説明】
【００６４】
１  基材
２  第１の画像における背景
３  第１の画像におけるメッセージ
４  第２の画像における背景
５  第２の画像におけるメッセージ
６  画線幅の差による可視情報
７  第１の画像における背景画線
８  第１の画像におけるメッセージ画線
９  第２の画像における背景画線
１０  第２の画像におけるメッセージ画線
１１  第１の画像
１２  第２の画像
１３  第１の画像の短冊パターン
１４  第２の画像の短冊パターン
１５  短冊パターンの間のスペース
１６  盛り上がりのある画線
１７  観察視点
１８  １のＸＹ平面図
Ｄ  照明光が照射される方向
Ｅ  観察者が観察する方向
Ｌ  照明光源
α  観察条件となる所定角度
β  観察条件となる所定角度
a  背景画線の一部分
b  背景画線の一部分
c  メッセージ画線の一部分
【図１】
2005280114.tif 000003
【図２】
2005280114.tif 000004
【図３】
2005280114.tif 000005
【図４】
2005280114.tif 000006
【図５】
2005280114.tif 000007
【図６】
2005280114.tif 000008
【図７】
2005280114.tif 000009
【図８】
2005280114.tif 000010
【図９】
2005280114.tif 000011
【図１０】
2005280114.tif 000012